(57)【要約】【課題】現盲人を含む視覚障害者を対象とした音声機能が装着された家電の販売もいくつかありますが、まだまだ数が少なく、さらに高額で、年金生活者などには容易に手を出すこともできないのが現状で、点字シールなどを利用し、家電製品の操作ボタンなどの判別方法を取るしかすべがありません。。しかし、中途失明者の場合、点字の読めない方が多く、自分なりに分別できる突起物などを目印代わりに貼りつけるなどの工夫をして、できる範囲での生活環境の改善を目指しています。このような人たちに、もっと容易に、しかも低コストで生活環境の向上を可能とするシステムが望まれています。【解決手段】  録音機能とスピーカーを搭載した市販のデジタルオーディオに複数の個別の信号を発信するリモコンからの情報を受け取る環境を作るだけで、その個別のワンボタン式リモコンを押すことにより、プレイヤーがその信号を受け取り、その信号に適合した操作を行い、音声をスピーカーから発生させることで、そのリモコンを装着している部分が何かを判別できるシステムの発明です。【特許請求の範囲】
【請求項１】
家電などを操作に使用される複数のリモコンを音声を発生させる操作ボタンとする方法
【請求項２】
複数のリモコン操作機能が装備されたデジタルオーディオプレイヤーなど音声発生機器全般（パソコンを含む）を１台のスピーカーに接続することで、すべての音声発生機器を操作するそれぞれのリモコンにより各音声発生機器に保存された音声データを再生して、１台のスピーカーから音声を発生させる方法
【請求項３】
複数の個別の信号を発信するリモコンまたは、１台で複数の個別の信号を発信する機能を持つリモコンにより１台のオーディオプレイヤーなどの音声発生機器全般がそれぞれの個別のリモコンから発信された情報を受け取り、そのそれぞれの情報に従がう形で個別の操作を行い、個別の音声を再生し、スピーカーから音声を発生させる方法
【請求項４】
オーディオプレイヤーなどの音声発生機器全般（パソコンを含む）に複数のリモコンの個別の信号を受け取り、その個別の信号により個別の操作ができる環境を装備する方法
【請求項５】
２方向性の信号を発信且つ受信側の機器との適合設定のできるワンボタン仕様のリモコンで、どこにでも装着できるマグネット式あるいはシール式の適応方法
【発明の詳細な説明】
【技術分野】
【０００１】一般家電の電子回路分野
【背景技術】
【０００２】リモコン機能付きデジタルオーディオプレイヤーなどの音声録音および再生装置全般
【先行技術文献】
【０００３】特許出願  平８−１７４６３
特許公開  平９−２１２１１８
盲人用周辺情報伝達装置
【発明の概要】
【０００４】  録音機能およびスピーカーを搭載した市販のデジタルオーディオプレイヤーに複数のリモコンからの受信機能を装着することで、盲人を含む視覚障害のある人が複数のワンボタンリモコンを使用することで、家電製品や生活用具等の操作ボタンの位置などが音声で確認することが可能となる簡易的なシステムであるとともに、家電メーカーの協力が得られれば低コストで利用できるシステムでもありす。
【発明が解決しようとする課題】
【０００５】  盲人を含む視覚障害者を対象とした音声機能が装着された家電の販売もいくつかありますが、まだまだ数が少なく、さらに高額で、年金生活者などには容易に手を出すこともできないのが現状です。ですから、点字シールなどを利用し、家電製品の操作ボタンなどの位置に貼りつけて、操作を容易にする方法しかとれません。しかし、これにも限界があります。それは、特に中途失明者に点字の読めない方が多く、自分なりに分別できる突起物などを目印代わりに貼りつけるなどの工夫をして、できる範囲での生活環境の向上を目指しています。このような人たちに、もっと容易に、しかも低コストで生活環境の向上を可能とするシステムが望まれています。
【問題を解決するための手段】
【０００６】  現在、一般家庭で使用されている家電のちょっとした応用で、いとも簡単に盲人を含む視覚障碍者の生活環境の向上が可能となります。
それは、複数のリモコンの個別の信号を受信する機能を１台の録音機能とスピーカーを搭載した市販のデジタルオーディオプレイヤーなどの音声発生機器全般（パソコンを含む）に装備するだけの簡易システムです。
複数のリモコンはボタン電池を電源とした操作ボタンが一つだけのもので、そのワンボタンリモコンを普段利用する家電の操作ボタンの横などに張り付け、そのリモコンを押すことで、デジタルオーディオプレイヤーに保存されている音声がスピーカーから流れ、そのボタンが何のボタンなのかが音声にて判断できるというシステムです。
リモコン自体の構造はリモコンの信号を受信するプレイヤーとの送適合を可能とする調節機能を搭載し、２方向からの信号を発信することで、信号伝達が確実に伝達できるものとする機能を持つものです。さらに最近のリモコンの信号はドアを通り抜けたり、壁などに当たることで跳ね返るような動きをする高性能なもので、リモコン操作をする家電の方向に向けて信号を発信しなくとも信号は確実に送られる構造となっています。
デジタルオーディオプレイヤーの構造としては、ボイスレコーダーなどの音声録音機能を搭載し、且つスピーカーシステム、および、メモリータイプまたは外付けＳＤメモリーカード仕様のもので、複数のリモコンの受信により、そのそれぞれの異なった信号による操作が可能となる環境を搭載する必要があります。
プレイヤーに内蔵されたメモリーおよび外付けのＳＤメモリーカード内のフォルダーなどに保存された音声ファイルの選択機能を複数のリモコンから送られる信号により操作する機能を装備し、ひとつのリモコンのボタンを押すことで何曲目の音声が流れる方法を取ったり、電話などに利用されているワンタッチダイヤルのようなワンタッチで登録された音声が流れる方法など、いろいろと考えられますが、そのすべての機能のひとつひとつの音声を複数のリモコンによって操作する形です。
また、複数のリモコン操作機能が装備されたデジタルオーディオプレイヤーを１台のスピーカーから音声を発生させる方法も考えられます。
さらに、その音声もプレイヤーの録音により、自分の声を録音したり、音楽を入れたりと自由自在に多種多様な録音が可能となりますので、オリジナリティーな用途が期待できるものです。
また、１台に複数の個別の信号を発信する学習リモコンを使用することでいろんな場面での利用も可能となります。
ただし、音声の録音や設定時には、晴眼者の補助が必要となる場合も生じますが、設定などが完了すれば、ひとりで操作ができる便利なものとなります。
このシステムによる商品利用はその複数のリモコンを対象としたもので、そのリモコンの信号を受信して、音声を発生させる機種は市販の各家電メーカーの協力を得ることで、リモコンだけの商品として、低コストが期待できるものです。
【発明の効果】
【０００７】  このシステムを利用することで、盲人を含む視覚障害者が生活用具などに個別のリモコンを貼りつけることで、操作が容易になったり、衣類やその他必需品の保管場所などにリモコンを貼りつけることで、どこに何が入っているかの判断が容易になり、生活環境が豊かになります。しかも、リモコンの信号を受ける側のプレイヤーに複数の信号を受け取れる環境を増やすことで、いろんなものに利用することも可能となります。
【図面の簡単な説明】
【０００８】
【図１】…個別の信号をそれぞれのワンボタンリモコンから１台のオーディオプレイヤーに情報を発信する図
【図２】…１台のリモコンで複数の個別の信号を発信する学習リモコンから１台のオーディオプレイヤーに情報を発信する図
【実施例】
【０００９】  このシステムは家庭だけでなく、職場や学校などの公衆の場でも、どこでも、どんな場合にでも多種多様の利用方法が期待できるものです。たとえば１台のリモコンに複数の信号を発信させる機能を持つ学習リモコンを使用することで、施設内の誘導などにも利用できるものです。
【符号の説明】
【００１０】  Ａ…複数の個別のリモコンから発信される個別の信号の情報を受け取り、その個別のそれぞれの情報に従う操作を行い、音声を発生させる機器
Ｂ…個別のそれぞれのリモコンより発信される操作情報信号
Ｃ…音声を発生させる操作情報信号を発信するワンボタン式リモコン
Ｄ…１台で複数の操作情報信号を発信させることのできる学習リモコン
【産業上の利用可能性】
【００１１】  市販の家電メーカーなどの協力を得ることで、市販のデジタルオーディオプレイヤーに複数のリモコンから個別の操作が可能となるシステム環境を装着していただくことで、そのプレイヤーの受信に適合できるワンボタンリモコンのみの商品としての利用価値があり、プレイヤー側の個別の信号を受け入れる環境の数により、リモコンのみを追加購入するだけの低コストで生活環境が向上するもので、プレイヤーとのセットととしての販売方法や、リモコンのみの販売方法など、利用者のニーズに合わせた商品構成が期待できます。
【図１】
2015104118.tif 000002
【図２】
2015104118.tif 000003